(57)【特許請求の範囲】
【請求項１】
複数の駒部材が任意の個数連結されて、所定の長さに形成されたバンド本体と、
前記バンド本体の一方の端部に繋がれた係止部と、
前記バンド本体の他方の端部に繋がれて前記係止部に係止される被係止部と、
を備え、
前記バンド本体を電柱に巻き付け、前記被係止部を前記係止部で係止して、前記電柱に固定される仮復旧用電柱バンドであって、
前記複数の駒部材のうち少なくとも１つは、前記電柱にて仮復旧対象物を支持するための金具が設けられた金具付駒部材であり、
前記駒部材の一端には第一筒部が設けられ、他端には前記第一筒部と平行な向きの第二筒部が設けられており、
互いの中心線を揃えて配置した隣接する一方の駒部材の前記第一筒部と、隣接する他方の駒部材の前記第二筒部とを貫通するように軸部材を挿入して、前記駒部材同士が連結されており、
前記駒部材は、前記第一筒部と前記第二筒部の間に平坦な外面を有する駒部材本体を備えており、
前記駒部材本体は、前記外面を広げた仮想面上に、前記第一筒部と前記第二筒部の中心線が位置するように、その両端が内側に折り曲げられていることを特徴とする仮復旧用電柱バンド。
【発明の詳細な説明】
【技術分野】
【０００１】
本発明は、任意の電柱に固定して腕金などを電柱に仮設するための仮復旧用電柱バンドに関する。
【背景技術】
【０００２】
鉄道の架線に電力を供給するために、架線と並行して設けられている饋電線（以下、き電線）を支持するブラケットが破損する事故が発生した場合、直ちに腕木や腕金を電柱に取り付け、き電線を仮復旧する工事が行われる。例えば、仮復旧マニュアルには、丸太をシメラーで電柱に緊縛してブラケット状の構造物を組み立てて、き電線を支持する方法が記載されている。
また、２つの半円弧状のバンド片で電柱を挟み、そのバンド片同士をボルトとナットで締結することで電柱に固定される電柱バンドが知られている（例えば、特許文献１参照。）。この電柱バンドを利用することで腕金などを電柱に容易に取り付けることができる。
【先行技術文献】
【特許文献】
【０００３】
【特許文献１】特開平５−１１２１６３号公報
【発明の概要】
【発明が解決しようとする課題】
【０００４】
しかしながら、上記した仮復旧マニュアルのように、ブラケット状の構造物を仮設する方法は、多くの人員が必要であり多大な労力や作業時間を要するものであった。そのため、より簡便に仮復旧を可能にする手法が望まれていた。
また、上記特許文献１の電柱バンドは、取り付ける電柱の径に対応したサイズに形成されているため、事故が発生した緊急時に適正サイズの電柱バンドが手元に無いと仮復旧が遅れてしまうことがある。また、緊急時に必要と予想される数の電柱バンドを各種装備しておくことにも限界がある。
【０００５】
本発明の目的は、任意の電柱に容易に取り付けることができる仮復旧用電柱バンドを提供することである。
【課題を解決するための手段】
【０００６】
上記目的を達成するため、この発明は、
複数の駒部材が任意の個数連結されて、所定の長さに形成されたバンド本体と、
前記バンド本体の一方の端部に繋がれた係止部と、
前記バンド本体の他方の端部に繋がれて前記係止部に係止される被係止部と、
を備え、
前記バンド本体を電柱に巻き付け、前記被係止部を前記係止部で係止して、前記電柱に固定される仮復旧用電柱バンドであって、
前記複数の駒部材のうち少なくとも１つは、前記電柱にて仮復旧対象物を支持するための金具が設けられた金具付駒部材であり、
前記駒部材の一端には第一筒部が設けられ、他端には前記第一筒部と平行な向きの第二筒部が設けられており、
互いの中心線を揃えて配置した隣接する一方の駒部材の前記第一筒部と、隣接する他方の駒部材の前記第二筒部とを貫通するように軸部材を挿入して、前記駒部材同士が連結されており、
前記駒部材は、前記第一筒部と前記第二筒部の間に平坦な外面を有する駒部材本体を備えており、
前記駒部材本体は、前記外面を広げた仮想面上に、前記第一筒部と前記第二筒部の中心線が位置するように、その両端が内側に折り曲げられているようにした。
【０００７】
かかる構成の仮復旧用電柱バンドであれば、電柱の太さ（直径）に応じて駒部材の数を増減し、その長さを調整することができるので、仮復旧用電柱バンドを任意の電柱に容易に取り付けることができる。つまり、電柱バンドが必要となった時点で駒部材や金具付駒部材などを軸部材で連結するようにして、任意の電柱に応じた長さを有する仮復旧用電柱バンドを得ることができ、その仮復旧用電柱バンドを電柱に容易に取り付けることができる。
また、その仮復旧用電柱バンドを電柱に巻き付けて、被係止部を係止部で係止するという比較的簡単な手順で仮復旧用電柱バンドを電柱に固定することができる。
【０００９】
また、所望する長さの仮復旧用電柱バンドを得るために、駒部材や金具付駒部材を連結する作業は、互いの中心線を揃えて配置した第一筒部と第二筒部とに連通させて軸部材を装着する簡単な作業であるので、任意の電柱に応じた長さの仮復旧用電柱バンドを短時間で容易に作ることができる。
【００１１】
また、駒部材の駒部材本体の両端が内側に折り曲げられていることで、仮復旧用電柱バンドを電柱に巻き付けて固定した際に、駒部材は両端の二箇所で電柱に接触し、駒部材本体の中央側が電柱の外周面に接触しないようになる。
例えば、駒部材の駒部材本体が平板状であると、仮復旧用電柱バンドを電柱に巻き付けた際、その駒部材本体の中央側が電柱の外周面に接触するので、その駒部材が電柱の外周面に引き付けられたり押し付けられたりするような力が掛かった場合に、平板状の駒部材本体が電柱の外周面のＲ面に倣って撓むように変形してしまうことがある。
これに対し、両端の二箇所で電柱に接触し、その中央側が電柱に接触しない駒部材は、電柱の外周面のＲ面に倣って変形し難くなっている。
つまり、この仮復旧用電柱バンドを電柱に固定し、その金具付駒部材を利用して腕金などを取り付けて組み立てたブラケット状構造物や、そのブラケット状構造物で支持した仮復旧対象物（例えば、き電線）の重量が仮復旧用電柱バンドに作用しても、変形し難い駒部材を主要構成としている仮復旧用電柱バンドは破損し難く、電柱に固定された状態で重量物を安定して支持することができる。
【発明の効果】
【００１４】
本発明によれば、任意の電柱に容易に取り付けることができる仮復旧用電柱バンドが得られる。
【図面の簡単な説明】
【００１５】
【図１】電柱に取り付けた仮復旧用電柱バンドを示す上面図である。
【図２】電柱に取り付けた仮復旧用電柱バンドを示す側面図である。
【図３】駒部材と軸部材の側面図（ａ）と、駒部材の上面図（ｂ）である。
【図４】金具付駒部材の側面図である。
【図５】係止部と被係止部の側面図である。
【図６】係止部と被係止部を拡大して示す仮復旧用電柱バンドの取り付け手順に関する説明図（ａ）（ｂ）（ｃ）（ｄ）（ｅ）である。
【図７】仮復旧用電柱バンドの変形例を示す側面図である。
【図８】仮復旧用電柱バンドの変形例を示す側面図である。
【図９】軸部材の変形例を示す側面図である。
【発明を実施するための形態】
【００１６】
以下、図面を参照して、本発明に係る仮復旧用電柱バンドの実施形態について詳細に説明する。但し、以下に述べる実施形態には、本発明を実施するために技術的に好ましい種々の限定が付されているが、本発明の範囲を以下の実施形態及び図示例に限定するものではない。
【００１７】
図１は、電柱Ｐに取り付けた仮復旧用電柱バンド１００を示す上面図である。図２は、その仮復旧用電柱バンド１００を示す側面図である。
仮復旧用電柱バンド１００は、図１、図２に示すように、複数の駒部材１０が連結されて所定の長さに形成されたバンド本体１０１と、バンド本体１０１における任意の駒部材１０間に連結されている金具付駒部材２０と、バンド本体１０１の一方の端部に繋がれた係止部３０と、バンド本体１０１の他方の端部に繋がれて係止部３０に係止される被係止部４０等を備えている。
この仮復旧用電柱バンド１００は、バンド本体１０１を電柱Ｐに巻き付け、被係止部４０を係止部３０で係止することで電柱Ｐに固定されるようになっている。
仮復旧用電柱バンド１００を構成する各部材は、ＳＳ４００などの鉄鋼材料からなる。
【００１８】
駒部材１０は、図１〜図３に示すように、駒部材本体１１と、駒部材本体１１の一端側に設けられた第一筒部１と、駒部材本体１１の他端側に設けられた第二筒部２と、を備えている。この第一筒部１と第二筒部２は、駒部材本体１１に溶接にて固設されている。
駒部材本体１１に設けられている第一筒部１と第二筒部２は、互いに平行な向きに配設されている。第一筒部１は駒部材本体１１の一端の中央側に設けられ、第二筒部２は駒部材本体１１の他端の上下に対を成して設けられている。なお、下側の第二筒部２の内面には雌ネジ２ａが切られている。
また、図３（ｂ）に示すように、駒部材本体１１は、第一筒部１と第二筒部２の間に平坦な外面を有しており、その外面を広げた仮想面上に、第一筒部１と第二筒部２の中心線が位置するように、駒部材本体１１の両端が内側に折り曲げられている。駒部材本体１１の両端はそれぞれ所定の角度θ（例えばθ＝１４５°）を成すように内側に折り曲げられた形状を有している。
【００１９】
この駒部材１０を繋げてバンド本体１０１を形成する場合、図３（ａ）に示すように、一の駒部材１０の第一筒部１を他の駒部材１０の第二筒部２で挟み、互いの中心線を揃えて配置した第一筒部１と第二筒部２とに連通する軸部材３を装着して、駒部材１０同士を連結する。
軸部材３は、例えば先端側に雄ネジ３ａが切られているボルトである。このボルト（軸部材３）を上側の第二筒部２から第一筒部１へ挿通させた後、下側の第二筒部２の雌ネジ２ａに螺合することで、駒部材１０同士を連結することができる。
対を成す第二筒部２のうち、下側の第二筒部２のみに雌ネジ２ａが切られていることで、駒部材１０の連結方向を認識し易くなっている。また、対を成す第二筒部２と第一筒部１の全体に雌ネジが切られている場合に比べて、その連結に要する作業時間を短縮することが可能になっている。
【００２０】
そして、連結する駒部材１０の数によって、バンド本体１０１（仮復旧用電柱バンド１００）の長さを調整することができる。例えば、本実施形態の仮復旧用電柱バンド１００は、１０個の駒部材１０と１個の金具付駒部材２０を連結したバンド本体１０１に係止部３０と被係止部４０を繋げて、直径が３５０ｍｍの電柱Ｐに取り付けることを可能にしたものである。
【００２１】
金具付駒部材２０は、図１、図２、図４に示すように、駒部材本体２１と、駒部材本体２１の一端側に設けられた第一筒部１と、駒部材本体２１の他端側に設けられた第二筒部２と、駒部材本体２１の中央側に設けられたパイプ部２２と、を備えている。
金具付駒部材２０の第一筒部１と第二筒部２は駒部材１０の筒部と同様のものであり、対を成す第二筒部２のうち、下側の第二筒部２に雌ネジ２ａが切られている。つまり、金具付駒部材２０は駒部材１０と同様に連結することが可能であり、先端側に雄ネジ３ａが切られているボルト（軸部材３）を用いて、駒部材１０と金具付駒部材２０とを連結することができる。
パイプ部２２は、電柱Ｐにて仮復旧対象物（例えば、き電線）を支持するための金具である。本実施形態では、自在クランプＣを取り付け可能な円筒状の金具を駒部材本体２１に溶接してなるパイプ部２２が設けられている。
【００２２】
係止部３０は、図１、図２、図５に示すように、係止部本体３１と、係止部本体３１の一端側に設けられた係止面部３２と、係止部本体３１の他端側に設けられた第二筒部２と、を備えている。
係止面部３２は、係止部本体３１の一端側が反り返るように立ち上がった部分であり、後述する被係止部４０の雄ねじ部材４２を係合でき、被係止部４０の雌ねじ部材４３が通過できない幅を有する切欠溝３２ａが形成されている。この係止面部３２の先端部には、後述する雌ねじ部材４３が当接し、切欠溝３２ａから雄ねじ部材４２及び雌ねじ部材４３が抜け出ることを防ぐための抜止部３２ｂが形成されている。
また、係止部本体３１には、係止面部３２が撓むなど変形を防ぐための補強縁部３１ａが設けられている。
【００２３】
係止部３０の第二筒部２は駒部材１０の筒部と同様のものであり、対を成す第二筒部２のうち、下側の第二筒部２に雌ネジが切られている。つまり、先端側に雄ネジが切られているボルト（軸部材３）を用いて、駒部材１０の第一筒部１と係止部３０の第二筒部２とを締結して、駒部材１０と係止部３０とを連結することができ、係止部３０をバンド本体１０１に繋ぐことができる。
【００２４】
被係止部４０は、図１、図２、図５に示すように、被係止部本体４１と、被係止部本体４１の一端側に設けられた第一筒部１と、被係止部本体４１に基端部４２ａが軸支された雄ねじ部材４２と、雄ねじ部材４２に螺着された雌ねじ部材４３と、を備えている。
被係止部４０の第一筒部１は駒部材１０の筒部と同様のものである。つまり、先端側に雄ネジが切られているボルト（軸部材３）を用いて、駒部材１０の第二筒部２と被係止部４０の第一筒部１とを締結して、駒部材１０と被係止部４０とを連結することができ、被係止部４０をバンド本体１０１に繋ぐことができる。
【００２５】
雄ねじ部材４２は、その基端部４２ａが被係止部本体４１に回動可能に軸支されている。具体的に、被係止部本体４１には、雄ねじ部材４２の基端部４２ａを挟み込む一対のリブ４１ａが設けられており、そのリブ４１ａに設けられている貫通孔（図示省略）と、雄ねじ部材４２の基端部４２ａに設けられている貫通孔（図示省略）とを位置合わせし、それら貫通孔に挿通したボルトＢにナットＮを螺合して、被係止部本体４１に雄ねじ部材４２を回動可能に取り付けている。
なお、一対のリブ４１ａは、雄ねじ部材４２の回動を妨げないように基端部４２ａの幅よりも僅かに広い間隔に設けられている。
この雄ねじ部材４２には、基端部４２ａを除いた部分に雄ネジが切られている。
【００２６】
雌ねじ部材４３は、例えば、高ナット（長ナット）であり、雄ねじ部材４２の先端から基端部４２ａの近傍まで、雄ネジが切られている範囲を螺進・螺退するように、雄ねじ部材４２に移動可能に取り付けられている。
【００２７】
次に、仮復旧用電柱バンド１００を電柱Ｐに取り付ける手順について説明する。
【００２８】
まず、電柱バンドを取り付ける電柱Ｐの太さに応じた長さを有する仮復旧用電柱バンド１００を得るために、その電柱Ｐの直径（外周長）に応じた数の駒部材１０と、金具付駒部材２０とを軸部材３で連結したバンド本体１０１を組み立て、そのバンド本体１０１の端部に係止部３０と被係止部４０を軸部材３にて繋ぐ。
なお、本実施形態の仮復旧用電柱バンド１００は、直径が３５０ｍｍの電柱Ｐに取り付けることを可能にしたものであるが、仮復旧用電柱バンドを取り付ける対象となる電柱Ｐのサイズは、例えば１９０〜４５０ｍｍと様々なので、駒部材１０の数を増減して、その長さを調整する。また、電柱Ｐは一般的に上端に向け先細る形状を有しているので、電柱Ｐへの取り付け箇所に応じた長さ調整も行う。
【００２９】
次いで、図６（ａ）（ｂ）に示すように、組み上がった仮復旧用電柱バンド１００を電柱Ｐの外周面に巻き付ける。この仮復旧用電柱バンド１００の被係止部４０では、雄ねじ部材４２の先端側に雌ねじ部材４３を螺着するように調節している。
【００３０】
次いで、図６（ｃ）に示すように、被係止部４０の雄ねじ部材４２を回動させ、係止部３０の切欠溝３２ａに雄ねじ部材４２を係入（係合）する。このとき、雄ねじ部材４２の先端側に雌ねじ部材４３が螺着されているので、雌ねじ部材４３が係止面部３２（抜止部３２ｂ）に当たることはなく、雄ねじ部材４２を切欠溝３２ａに係入できる。
こうして係止部３０の切欠溝３２ａに被係止部４０の雄ねじ部材４２を係入した状態で、被係止部本体４１と雌ねじ部材４３の間に係止部本体３１の係止面部３２が位置するようになっている。
【００３１】
次いで、図６（ｄ）（ｅ）に示すように、雌ねじ部材４３を雄ねじ部材４２の基端部４２ａに向けて締め付けるようにして、仮復旧用電柱バンド１００を電柱Ｐに固定する。このとき、雌ねじ部材４３が係止面部３２に当接する位置に達すると、雌ねじ部材４３が抜止部３２ｂに当接し、雌ねじ部材４３が螺着されている雄ねじ部材４２が切欠溝３２ａから抜け出ることを防ぐようになる。つまり、係止部３０が被係止部４０を係止して、仮復旧用電柱バンド１００が電柱Ｐに固定されるようになる。
そして、雌ねじ部材４３が係止面部３２（抜止部３２ｂ）に当接した後も、さらに雌ねじ部材４３を雄ねじ部材４２に締め付けて、被係止部本体４１と係止部本体３１とを近接させる。こうすることで、仮復旧用電柱バンド１００の周方向の長さを短くすることができ、駒部材１０の数を調整することではできない長さの微調整を行うことができ、仮復旧用電柱バンド１００を電柱Ｐにしっかりと固定することが可能になる。
【００３２】
このように電柱Ｐに固定した仮復旧用電柱バンド１００を利用して、電柱Ｐにて仮復旧対象物を支持するための構造物を組み立てる。なお、その構造物を組み立てるにあたり、電柱Ｐには複数の仮復旧用電柱バンド１００を固定するようにしてもよい。
この仮復旧用電柱バンド１００の金具付駒部材２０には、自在クランプＣを取り付け可能なパイプ部２２が設けられており、自在クランプＣによって単管パイプなどを仮復旧用電柱バンド１００に取り付けることができる。
そして、電柱Ｐに固定した仮復旧用電柱バンド１００に単管パイプを取り付けて、電柱Ｐに対して組み付けた単管パイプで組み立てたブラケット状構造物で、き電線など仮復旧対象物を支持することが可能になる。なお、組み立てたブラケット状構造物で、き電線を支持する場合には、そのブラケット状構造物に碍子などを介してき電線を吊架する。
【００３３】
以上のように、本実施形態の仮復旧用電柱バンド１００であれば、仮復旧用電柱バンド１００を固定する電柱Ｐの太さ（直径）に応じて駒部材１０の数を増減し、その長さを調整することができるので、仮復旧用電柱バンド１００を任意の電柱Ｐに容易に取り付けることができる。
つまり、従来技術のように、電柱Ｐの径に対応した各種サイズの電柱バンドを装備する必要はなく、電柱バンドが必要となった時点で駒部材１０や金具付駒部材２０などを連結するようにして、任意の電柱Ｐに応じた長さを有する仮復旧用電柱バンド１００を得ることができ、その仮復旧用電柱バンド１００を電柱Ｐに容易に取り付けることができる。
【００３４】
この駒部材１０や金具付駒部材２０を連結する作業は、互いの中心線を揃えて配置した第一筒部１と第二筒部２とを貫通するように軸部材３を挿入して装着する簡単な作業であるので、所望する長さの仮復旧用電柱バンド１００を短時間で容易に作ることができる。
また、その仮復旧用電柱バンド１００を電柱Ｐに巻き付けて、被係止部４０を係止部３０で係止するという比較的簡単な手順で仮復旧用電柱バンド１００を電柱Ｐに固定することができる。
【００３５】
また、駒部材１０の駒部材本体１１は、その両端が内側に折り曲げられた形状に形成されており、特に、第一筒部１と第二筒部２の間に位置する駒部材本体１１の平坦な部分の外面を広げた仮想面上に、第一筒部１と第二筒部２の中心線が位置するように、駒部材本体１１の両端が内側に折り曲げられていることで、駒部材１０（駒部材本体１１）は高い剛性を有するようになっている。
このように駒部材１０の駒部材本体１１の両端が内側に折り曲げられていることで、仮復旧用電柱バンド１００を電柱Ｐに巻き付けて固定した際に、駒部材１０は両端の二箇所で電柱Ｐに接触し、駒部材本体１１の中央側が電柱Ｐの外周面に接触しないようになる。
そして、電柱Ｐに固定された仮復旧用電柱バンド１００に、金具付駒部材２０を介して組み立てたブラケット状構造物や、そのブラケット状構造物で支持した仮復旧対象物（き電線）の重量が作用し、駒部材１０が電柱Ｐの外周面に引き付けられるような力が掛かっても、両端の二箇所で電柱Ｐに接触している駒部材本体１１はその姿勢を維持することができ、駒部材１０は変形し難くなっている。
例えば、駒部材の駒部材本体が平板状であると、その駒部材本体の中央側が電柱Ｐの外周面に接触するので、その駒部材が電柱Ｐの外周面に引き付けられるような力が掛かった場合に、平板状の駒部材本体が電柱Ｐの外周面のＲ面に倣って撓むように変形してしまうことがあり、仮復旧用電柱バンドの固定位置がずれるなど不具合が生じることがある。
つまり、変形し難い駒部材１０を主要構成としている仮復旧用電柱バンド１００は破損し難く、電柱Ｐに固定された状態で重量物を安定して支持することができる優れた機能を有している。
【００３６】
一方、金具付駒部材２０の駒部材本体２１は平板状であることで、駒部材本体２１の中央側が電柱Ｐの外周面に接触するので、その駒部材本体２１に設けられている金具（パイプ部２２）を電柱Ｐにより近い位置に配することが可能になっている。
そして、電柱Ｐに密接した金具付駒部材２０は、重量物を支える金具（パイプ部２２）が駒部材本体２１を挟んで電柱Ｐに接する配置をとることができ、重量物による負荷を電柱Ｐに逃がすようして仮復旧用電柱バンド１００に掛かる負荷を低減することができる。
つまり、金具付駒部材２０は電柱Ｐに密接することで、仮復旧用電柱バンド１００に掛かる負荷を低減でき、その仮復旧用電柱バンド１００で重量物を安定して支持することが可能になる。
【００３７】
なお、本発明は上記実施形態に限られるものではない。
例えば、図７に示すように、駒部材本体２１と、駒部材本体２１の一端側に設けられた第一筒部（図示せず）と、駒部材本体２１の他端側に設けられた第二筒部（図示せず）と、駒部材本体２１に溶接されて駒部材本体２１と一体で上面視略コ字形状を呈するコ形金具２３と、コ形金具２３と駒部材本体２１の接合部分を補強する補強金具２４と、を備えている金具付駒部材２０が連結された仮復旧用電柱バンド１００であってもよい。
この金具付駒部材２０のコ形金具２３には貫通孔（図示省略）か設けられており、その貫通孔に挿通したボルトＢと、ボルトＢに螺着したナットＮが取り付けられている。
このような金具（コ形金具２３、補強金具２４）が設けられている金具付駒部材２０には、碍子や振止装置や曲線引装置を組み付けることができ、またボルトＢとナットＮで固定した接続部材を介して腕金などを組み付けることができるので、仮復旧用電柱バンド１００を固定した電柱Ｐに腕金などを取り付けて組み立てたブラケット状構造物で、き電線など仮復旧対象物を支持することが可能になる。
【００３８】
また、図８に示すように、駒部材本体２１と、駒部材本体２１の一端側に設けられた第一筒部（図示せず）と、駒部材本体２１の他端側に設けられた第二筒部（図示せず）と、駒部材本体２１に溶接された上下一対の支持金具２５と、上下一対の支持金具２５に挟まれ、ボルトＢなどによって回動可能に支持されている雄ねじ金具２６と、雄ねじ金具２６に螺着されている雌ねじ金具２７と、を備えている金具付駒部材２０ａが連結された仮復旧用電柱バンド１００であってもよい。
この金具付駒部材２０ａは、仮復旧用電柱バンド１００に２つ配設されており、対を成す金具付駒部材２０ａの雄ねじ金具２６に架け渡さすように取り付けられた腕金２８を備えている。
このような腕金２８を取り付け可能な金具付駒部材２０ａが連結された仮復旧用電柱バンド１００であれば、この仮復旧用電柱バンド１００を固定した電柱Ｐに腕金２８を利用して、き電線など仮復旧対象物を支持することが可能になる。
【００３９】
また、駒部材１０同士、あるいは駒部材１０と金具付駒部材２０とを連結することに用いる軸部材３は、先端側に雄ネジ３ａが切られているボルトであることに限らず、例えば、図９に示すように、先端側に出没可能に設けられた係着凸部３ｂを有する差し込みピンタイプの軸部材３であってもよい。係着凸部３ｂはバネなどの弾性力（付勢力）によって出没可能に構成されている。
この差し込みピンタイプの軸部材３を用いて駒部材１０同士を連結する場合、一の駒部材１０の第一筒部１を他の駒部材１０の第二筒部２で挟み、互いの中心線を揃えて配置した第一筒部１と第二筒部２とに連通させて軸部材３を挿入する。筒部を通過中の係着凸部３ｂは軸部材３内に埋没し、通過後に突出して軸部材３の抜け止めになるので、ワンタッチでの連結が可能になる。
また、この軸部材３のリング部３ｃを掴んで引き抜けば、ワンタッチで駒部材１０の連結を解除することができるので、駒部材１０の数を減らす長さ調整を容易にできる。
なお、差し込みピンタイプの軸部材３を用いる場合、下側の第二筒部２に雌ネジを切らなくてよい。
【００４０】
なお、以上の実施の形態においては、５個の駒部材１０を連結した２つのバンドの間に金具付駒部材２０を連結した仮復旧用電柱バンド１００を例に説明したが（図１、図７参照）、本発明はこれに限定されるものではなく、駒部材１０と金具付駒部材２０の連結順は任意であり、バンド本体１０１中、所望する位置に金具付駒部材２０を連結するようにしてもよい。
また、バンド本体１０１を構成する複数の駒部材のうちの１個が金具付駒部材２０であることに限らず、仮復旧用電柱バンド１００に２つ以上の金具付駒部材２０を備えるようにしてもよい。
また、金具付駒部材２０は、本実施形態に例示したものに限らず、電柱Ｐにて仮復旧対象物を支持するための金具が設けられたものであれば、任意の構成・構造を有するものでであってよい。
【００４１】
また、以上の実施の形態においては、駒部材１０の第一筒部１と第二筒部２は、駒部材本体１１に溶接にて固設されているとしたが、本発明はこれに限定されるものではなく、例えば、駒部材１０をプレス加工によって一体成形し、駒部材本体１１の両側を所定角度に折り曲げるとともに、その両端を筒状に丸めるように形成した第一筒部１と第二筒部２を有するものであってもよい。
【００４２】
また、その他、具体的な細部構造等についても適宜に変更可能であることは勿論である。
【符号の説明】
【００４３】
１      第一筒部
２      第二筒部
２ａ    雌ネジ
３      軸部材
３ａ    雄ネジ
３ｂ    係着凸部
３ｃ    リング部
１０    駒部材
１１    駒部材本体
２０    金具付駒部材
２２    パイプ部（金具）
２３    コ形金具（金具）
２４    補強金具（金具）
２０ａ  金具付駒部材
２５    支持金具（金具）
２６    雄ねじ金具（金具）
２７    雌ねじ金具（金具）
２８    腕金（金具）
３０    係止部
３１    係止部本体
３２    係止面部
３２ａ  切欠溝
３２ｂ  抜止部
４０    被係止部
４１    被係止部本体
４２    雄ねじ部材
４３    雌ねじ部材
１００  仮復旧用電柱バンド
１０１  バンド本体
Ｐ      電柱
Ｃ      自在クランプ
【図１】
0006346506.tif 000002
【図２】
0006346506.tif 000003
【図３】
0006346506.tif 000004
【図４】
0006346506.tif 000005
【図５】
0006346506.tif 000006
【図６】
0006346506.tif 000007
【図７】
0006346506.tif 000008
【図８】
0006346506.tif 000009
【図９】
0006346506.tif 000010